【手続補正書】
【提出日】令和1年11月11日(2019.11.11)
【手続補正１】
【補正対象書類名】特許請求の範囲
【補正対象項目名】全文
【補正方法】変更
【補正の内容】
【特許請求の範囲】
【請求項１】
小風量を送風する弱気流と、前記小風量よりも大きな大風量を送風する強気流とを発生させる送風制御を実行する制御部を備え、
前記制御部は、前記弱気流から前記強気流へ移行する際の風量である強気流移行風量と、前記強気流の最大風量である強上限風量との差である風量変化幅を予め設定可能であることを特徴とする送風装置。
【請求項２】
前記制御部は、前記強気流移行風量から前記強上限風量に到達するまでの時間と、前記強上限風量から前記強気流が前記弱気流へ移行する際の風量である弱気流移行風量に到達するまでの時間とをそれぞれ予め設定できることを特徴とする請求項１に記載の送風装置。
【請求項３】
前記弱気流は、前記弱気流の最大風量である弱上限風量と前記弱気流の最小風量である弱下限風量とを含むことを特徴とする請求項１または２に記載の送風装置。
【請求項４】
前記弱下限風量は、前記強気流移行風量と同じであることを特徴とする請求項３に記載の送風装置。
【請求項５】
小風量を送風する弱気流と、前記小風量よりも大きな大風量を送風する強気流とを交互に発生させる送風制御をマイコンに実行させる送風制御プログラムであって、
前記弱気流から前記強気流へ移行する際の風量である強気流移行風量と、前記強気流の最大風量である強上限風量との差である風量変化幅を予め設定できることを特徴とする送風制御プログラム。
【請求項６】
前記強気流の最小風量である強下限風量から前記強上限風量に到達するまでの時間と、前記強上限風量から前記強下限風量に到達するまでの時間とをそれぞれ予め設定できることを特徴とする請求項５に記載の送風制御プログラム。
【請求項７】
前記弱気流は、前記弱気流の最大風量である弱上限風量と、前記弱気流の最小風量である弱下限風量とを含むことを特徴とする請求項５または６に記載の送風制御プログラム。
【請求項８】
前記弱下限風量は、前記強気流移行風量と同じであることを特徴とする請求項７に記載の送風制御プログラム。
【手続補正２】
【補正対象書類名】明細書
【補正対象項目名】０００４
【補正方法】変更
【補正の内容】
【０００４】
図１０に示すように、送風制御プログラム１０１は、１／ｆゆらぎでゆらぐ送風量に対応するファンの回転数の基本パターンに基づき、ファン回転数を変化させる第１送風パターン１０２と第２送風パターン１０３とから構成される。第１送風パターン１０２は、予め設定したファンの回転数の第１上限値１０４と第１下限値１０５との間で基本パターンに基づき、ファンの回転数を変化させるものである。一方で、第２送風パターン１０３は、第１送風パターン１０２よりもファンの回転数の振幅を小さくした第２上限値１０６と第２下限値１０７との間で基本パターンに基づき、前記ファンの回転数を変化させるものである。そして、第２送風パターン１０３が第１送風パターン１０２と第１送風パターン１０２との間に入るように設定されているものである。これにより、送風量の変化が小さい第２送風パターン１０３と、送風量の変化が大きい第１送風パターン１０２とを交互に組み合わせることで、第１送風パターン１０２が連続で続く場合よりも、送風量の変化幅を小さくすることができ、理想的なファン送風量と実際のファンの送風量のズレを生じ難くするものである。
【手続補正３】
【補正対象書類名】明細書
【補正対象項目名】０００７
【補正方法】変更
【補正の内容】
【０００７】
上記従来例では、送風量の変化が小さい第２送風パターン１０３と送風量の変化が大きい第１送風パターン１０２とを交互に組み合わせることで、送風量の変化幅を小さくするゆらぎ制御について述べられている。しかし、従来例の課題として、第２送風パターン１０３から第１送風パターン１０２へ移行する際、送風量の変化幅が小さくなることで、ユーザーが風速変化のない人工的な風と感じてしまう課題があった。
【手続補正４】
【補正対象書類名】明細書
【補正対象項目名】００１０
【補正方法】変更
【補正の内容】
【００１０】
そして、この目的を達成するために、本発明に係る送風措置は、小風量を送風する弱気流と、小風量よりも大きな大風量を送風する強気流とを交互に発生させる送風制御を実行する制御部を備え、制御部は、弱気流から強気流へ移行する際の風量である強気流移行風量と、強気流の最大風量である強上限風量との差である風量変化幅を予め設定可能であることを特徴とするものであり、これにより所期の目的を達成するものである。
【手続補正５】
【補正対象書類名】明細書
【補正対象項目名】００１１
【補正方法】変更
【補正の内容】
【００１１】
本発明に係る送風装置によれば、より自然なゆらぎを感じる風をユーザーに提供するこ
とができる。
【手続補正６】
【補正対象書類名】明細書
【補正対象項目名】００１４
【補正方法】変更
【補正の内容】
【００１４】
本発明に係る送風装置は、小風量を送風する弱気流と、小風量よりも大きな大風量を送風する強気流とを交互に発生させる送風制御を実行する制御部を備える。そして、制御部は、弱気流から強気流へ移行する際の風量である強気流移行風量と、強気流の最大風量である強上限風量との差である風量変化幅を予め設定可能である。これにより、風速変化のない人工的な風であるとユーザーが感じることを防止し、自然の風に見られる大きな風速の変化を確実にユーザーに感じさせることができるので、より自然なゆらぎを感じる風をユーザーに提供することができるという効果を奏する。
【手続補正７】
【補正対象書類名】明細書
【補正対象項目名】００１５
【補正方法】変更
【補正の内容】
【００１５】
また、制御部は、強気流移行風量から強上限風量に到達するまでの時間と、強上限風量から強気流が弱気流へ移行する際の風量である弱気流移行風量に到達するまでの時間とをそれぞれ予め設定できる構成にしてもよい。これにより、風量増加あるいは風量減少に要する時間が長いことで、ユーザーが風速の変化に慣れてしまい、風速変化のない人工的な風に感じることを防止することができる。また、風量の増加および減少に要する時間が短いことで、風による刺激の強さが急激に変化し、驚いたユーザーが不快に感じることを防止する。したがって、より自然なゆらぎを感じる風をユーザーに提供することができるという効果を奏する。
【手続補正８】
【補正対象書類名】明細書
【補正対象項目名】００１６
【補正方法】変更
【補正の内容】
【００１６】
さらに、弱気流は、弱気流の最大風量である弱上限風量と弱気流の最小風量である弱下限風量とを含む構成にしてもよい。これにより、ユーザーが強気流による風速の変化に加えて、弱気流の風速の変化も感じることができるため、より自然なゆらぎを感じる風をユーザーに提供することができるという効果を奏する。
【手続補正９】
【補正対象書類名】明細書
【補正対象項目名】００１７
【補正方法】変更
【補正の内容】
【００１７】
その上、弱下限風量は、強気流移行風量と同じである構成にしてもよい。これにより、風量変化幅を大きくすることができ、強気流にて送風された風がユーザーに到達した際、ユーザーが自然の風に見られる大きな風速の変化を明確に感じることができる。したがって、より自然なゆらぎを感じる風をユーザーに提供することができるという効果を奏する。
【手続補正１０】
【補正対象書類名】明細書
【補正対象項目名】００３４
【補正方法】変更
【補正の内容】
【００３４】
また、図７に示すように、強気流移行風量２３から強上限風量２４へ到達するまでに要する時間である増加時間２６を予め設定した。加えて、強上限風量２４から、強気流２２から弱気流２１へ移行する際の風量である弱気流移行風量２７まで到達するために必要な時間である減少時間２８も予め設定した。これにより、風量増加あるいは風量減少に要する時間が長いことで、ユーザー５が風速の変化に慣れてしまい、風速変化のない人工的な風に感じることを防止することができる。また、風量の増加および減少に要する時間が短いことで、風による刺激の強さが急激に変化し、驚いたユーザーが不快に感じることを防止する。このとき、増加時間２６および減少時間２８は５秒に予め設定した。上述の強上限風量２４へ到達するまでに要する時間である増加時間２６及び強上限風量２４から、強気流２２から弱気流２１へ移行する際の風量である弱気流移行風量２７まで到達するために必要な時間である減少時間２８について、ユーザーが送風機の操作部（図示せず）より適宜設定できる構成であってもよい。
なお、信号線１４は、有線のコードを用いた接続のほか、無線通信を行っても良い。
【手続補正１１】
【補正対象書類名】明細書
【補正対象項目名】００４８
【補正方法】変更
【補正の内容】
【００４８】
本実施の形態では、ゆらぎ制御プログラム１５を設定する際、風量変化幅２５が、前述した自然の風の風速変化幅２０を満たすように、強気流移行風量２３を第３弱上限風量３３と第３弱下限風量３４との間で可変に調整した。つまり、強気流移行風量２３を調整することで、ユーザー５に弱気流２１および強気流２２が到達した際、風速変化幅２０が（特徴４）にて前述した０．４ｍ／ｓ以上、１．２ｍ／ｓ以下となるように風量変化幅２５を調整する。これは、風速変化幅２０が０．４ｍ／ｓ未満の場合、ユーザー５が風速の変化を感じられず、風速が一定の人工的な風と感じてしまう。一方で、風速変化幅２０が１．２ｍ／ｓを超えて大きい場合、風による刺激の強さが急激に変化し、驚いたユーザーが不快に感じるおそれがある。図９において、仮に強気流移行風量２３を第３弱下限風量３４に設定した場合、強上限風量２４はユーザー５へ到達する風速が１．６ｍ／ｓであり、第３弱下限風量３４はユーザー５へ到達する風速が０．２ｍ／ｓであるため、風速変化幅２０は１．４ｍ／ｓとなり、前述した１．２ｍ／ｓを超える。このとき、風による刺激の強さが急激に変化し、驚いたユーザーが不快に感じるおそれがある。したがって、図９に示すように、強気流移行風量２３を第３弱上限風量３３に設定することで、風速変化幅２０を１．２ｍ／ｓに調整でき、ユーザー５はより自然なゆらぎを感じることができる。